(57)【要約】【課題】著作権保護機能を有さない記録媒体にコピー制御信号が付加されたデータストリームを著作権保護した形で記録する。【解決手段】著作権保護機能を有しない記録媒体9にコピー制御信号が付加されたデータストリームを、著作権保護機能を有する記録媒体10にデータストリームに関するファイル管理情報を別々に記録する。【選択図】図１
2006344253.tif 000002
【特許請求の範囲】
【請求項１】
データストリームに付加されているコピー制御信号の有無を検出するストリーム判別部と、著作権機能を有する記録媒体と著作権機能を有しない記録媒体を判断する記録媒体判別部と、前記記録媒体を識別する識別子を生成する媒体識別子生成部と、前記データストリームのファイル管理情報を生成するファイル管理情報生成部と、前記データストリームのデータストリームを前記著作権保護機能を有しない記録媒体に、前記データストリームのファイル管理情報を前記著作権保護機能を有する記録媒体に記録する記録部を備えたことを特徴とする記録装置。
【請求項２】
複数の記録媒体に記録した複数のデータストリームのファイル管理情報群を単一の記録媒体で管理するファイル管理情報群を記録することを特徴とする、請求項１記載の記録装置。
【請求項３】
データストリーム実体を記録した著作権保護機能を有さない記録媒体と前記データストリームのファイル管理情報群を記録した著作権保護機能を有する記録媒体を判断する記録媒体判断部と、前記データストリームのファイル管理情報を前記著作権保護機能を有する記録媒体に記録されたファイル管理情報群の中から特定するための管理情報判断部と、前記管理情報判断部で判断されたファイル管理情報を読み込むファイル管理情報読み込み部と、前記ファイル管理情報読み込み部から指定されたデータストリームの読み込みと前記ファイル管理情報の読み込みを行う媒体データ読み込み部と、前記媒体データ読み込み部によって読み込まれたデータストリームを再生する再生部と、前記再生部で生成されたデータを外部に出力する出力部を備えたことを特徴とする再生装置。
【請求項４】
前記著作権保護機能を有さない記録媒体に記録されたデータストリームのファイル管理情報が前記著作権保護機能を有する記録媒体に記録されたファイル管理情報群に存在しない場合に、ＯＳＤ上にメッセージを表示するためのメッセージを生成するＯＳＤ生成部を備えたことを特徴とする、請求項３記載の再生装置。
【発明の詳細な説明】
【技術分野】
【０００１】
本発明は、複数媒体を管理するファイル管理方法を用いた記録装置および再生装置に関するものである。
【背景技術】
【０００２】
近年開始されたデジタル放送では、高画質で高音質の番組を提供することが可能になったため、ユーザは高画質・高音質の番組を楽しむことができるようになった。しかし、デジタル技術を使うと、画像や音質が劣化することなく、高画質・高音質の番組を大量にコピーしたり、インターネットに配信することが容易になるため、私的な録画の範囲を超えて番組を複製したり、インターネットで再送信するなど、著作権を侵害した行為が頻発する恐れがある。そこで地上デジタル放送およびBSデジタルテレビ放送では、コンテンツの著作権を保護するために、コピー制御信号を放送番組に付加された形で配信し、コピー制御信号が付加された放送番組の記録が可能な記録媒体を著作権保護機能を有する記録媒体に限定することで著作権を保護している。
【特許文献１】特開昭62-237538号公報
【発明の開示】
【発明が解決しようとする課題】
【０００３】
そのため、ユーザは著作権保護機能を有さない記録媒体にコピー制御信号が付加されたデータを記録することができない。著作権保護機能を有する記録媒体はそれを有さない記録媒体に比べて一般的に高価であるため、不正なコピーをするつもりのない一般ユーザに対して、著作権を保護する目的とはいえ、金銭的な負担を与える結果になっている。
【０００４】
本発明は、上記課題を解決するために、多数の著作権保護を有しない記録媒体と一つの著作権保護機能を有する記録媒体を組み合わせて記録することにより、一つの著作権保護機能を有する記録媒体で、複数の著作権保護を有さない記録媒体を管理しコピー制御信号を有するデータを著作権機能を有さない記録媒体に不正なコピーを防いだ形で記録または再生する記録装置および再生装置を提供することを目的とする。
【課題を解決するための手段】
【０００５】
本発明の記録装置は、データストリームに付加されているコピー制御信号の有無を検出するストリーム判別部と、著作権機能を有する記録媒体と著作権機能を有しない記録媒体を判断する記録媒体判別部と、前記記録媒体を識別する識別子を生成する媒体識別子生成部と、前記データストリームのファイル管理情報を生成するファイル管理情報生成部と、前記データストリームのデータストリームを前記著作権保護機能を有しない記録媒体に、前記データストリームのファイル管理情報を前記著作権保護機能を有する記録媒体に記録する記録部を備えたものである。また複数の記録媒体に記録した複数のデータストリームのファイル管理情報群を単一の記録媒体で管理するファイル管理情報群を記録することが望ましい。
【０００６】
本発明の再生装置は、データストリーム実体を記録した著作権保護機能を有さない記録媒体と前記データストリームのファイル管理情報群を記録した著作権保護機能を有する記録媒体を判断する記録媒体判断部と、前記データストリームのファイル管理情報を前記著作権保護機能を有する記録媒体に記録されたファイル管理情報群の中から特定するための管理情報判断部と、前記管理情報判断部で判断されたファイル管理情報を読み込むファイル管理情報読み込み部と、前記ファイル管理情報読み込み部から指定されたデータストリームの読み込みと前記ファイル管理情報の読み込みを行う媒体データ読み込み部と、前記媒体データ読み込み部によって読み込まれたデータストリームを再生する再生部と、前記再生部で生成されたデータを外部に出力する出力部を備えたものである。また前記著作権保護機能を有さない記録媒体に記録されたデータストリームのファイル管理情報が前記著作権保護機能を有する記録媒体に記録されたファイル管理情報群に存在しない場合に、ＯＳＤ上にメッセージを表示するためのメッセージを生成するＯＳＤ生成部を備えることが望ましい。
【発明の効果】
【０００７】
放送番組等を記録媒体に記録する際、放送番組の内容が記録されているデータストリーム情報と記録媒体上に配置されるファイルを管理するファイル管理情報の二つの情報が同一の記録媒体に記録される。ファイル管理情報とは記録媒体に記録されたデータが記録媒体上の何処に配置されたかを管理するための情報であり、この情報を用いることで記録媒体上に記録されたデータの位置・また大きさなどを知ることができる。
【０００８】
つまり、このファイル管理情報がなければ、記録媒体上に記録されたデータを探し出すことができず、データの再生が行えないことになる。
【０００９】
本発明の記録装置では、データストリーム情報とそのファイルの位置を示すファイル管理情報を同一の記録媒体に記録せず、異なる記録媒体にそれぞれの情報を記録する方法について提案する。データストリーム情報が記録媒体のどの位置に記録されているかを表すファイル管理情報がデータストリーム情報の記録されている媒体と一緒に記録されていないため、データストリームの記録されている記録媒体のみでは記録媒体上のどの位置に記録されているかを特定することができず、データストリームが記録された媒体のみでストリームの読み出しが行えない特徴を有する。さらに、どちらか一方に著作権保護を有する機能を持たせることで間接的にデータストリームとファイル管理情報の両方に著作権機能を持たせることを可能とする効果を持つ。
また、ファイル管理情報自身のデータサイズはデータストリームのそれよりも小さいため、ファイル管理情報を記録する記録媒体に複数記録媒体のデータストリームに対するファイル管理情報を記録することができる。著作権機能を有する記録媒はそれを有さない記録媒体よりも高価であるため、一つの著作権保護機能を有する記録媒体で複数の著作権保護機能を有しない記録媒体のファイル管理情報を管理することで、全体としてのユーザの記録媒体に費やす負担を軽減させることができる特徴を持つ。
【発明を実施するための最良の形態】
【００１０】
（実施の形態１）
まず、データストリームとファイル管理情報を異なる記録媒体に管理する方法について説明する。図１は単一記録媒体で複数の記録媒体のファイル管理情報を管理する情報の内容を示した概略図である。１はデータストリームが記録された記録媒体であり、2はデータストリームの所在を示すファイル管理情報が記録されている記録媒体である。3は記録媒体自身を識別するための記録媒体識別子であり、4は記録されたデータストリームである。本発明ではデータストリームとファイル管理情報を異なる記録媒体に記録するため、データストリームの所在を示すファイル管理情報が記録されている記録媒体を認識する必要がある。5は記録されたデータストリーム4のファイル管理情報を記録している媒体を識別するための管理媒体識別子である。
【００１１】
このデータストリームが記録されている記録媒体1はそこに記録されている管理媒体識別子5と同じ識別子の記録媒体識別子3を捜すことで、自身のファイル管理情報が記録されている記録媒体を知ることができる。よって、その記録媒体2からファイル管理情報を取得すれば、データストリームの所在を知ることができるようになる。
【００１２】
ファイル管理情報が記録されている記録媒体2は複数記録媒体のファイル管理情報を記録することを可能にするため、ファイル管理情報群6を形成する。ファイル管理情報群6はデータストリームが記録されている記録媒体を識別するための識別子3とそのファイル管理情報61を対として管理することにより、複数の記録媒体のファイル管理情報を管理する。
【００１３】
この単一記録媒体で複数記録媒体を管理する方法を用いて記録されたデータストリームを取得するためには、まず記録媒体1に記録された管理情報識別子5と一致する記録媒体識別子3を持つ記録媒体2を探し出し、その記録媒体2が持つファイル管理情報群6を得る。ファイル管理情報6内から記録媒体1に記録されている記録媒体識別子3と一致する記録媒体識別を探し出し、それと対に記録されているファイル管理情報61を得る。ここで得られたファイル管理情報61を用いることで、記録媒体1のデータストリームの所在を知ることができ、データストリームを取得することができるようになる。
【００１４】
（記録装置）
次に、上記のデータストリームとファイル管理情報を異なる記録媒体に記録する方式を持つ記録装置について説明する。図２は本発明の複数媒体を管理するファイル管理方式をもつ記録装置のブロック図である。7は外部入力端子であり、8は外部入力端子7から入力されたデータストリームにコピー制御信号が付加されているかを判断するストリーム判別部である。9は著作権保護機能を有さない記録媒体であり、10は著作機能を有する記録媒体である。11は前記機器に装着されている記録媒体が記録媒体9、10の特長を有するかを判別する記録媒体判断部である。12は記録媒体9に記録するデータストリームの管理情報を生成するファイル管理情報生成部である。またファイル管理情報生成部12は記録媒体9、10を識別する識別子を生成する媒体識別子生成部も兼ねている。13は前記のデータストリームとファイル管理情報と記録媒体識別子を異なる記録媒体に管理する方法に基づいて記録媒体9、10に情報を記録する記録部である。
【００１５】
次に、この複数媒体を管理するファイル管理方式を持つ記録装置の動作概要を説明する。
【００１６】
図３はコピー制御信号が付加されたデータストリームを複数媒体に記録するときの動作フローである。
【００１７】
まず、データストリームを複数媒体に記録する処理を開始する。そして外部入力端子1から入力されたデータストリームを取得し(ステップ1)、取得されたストリームがコピー制御信号を付加しているかをストリーム判別部8で判断する（ステップ2）。コピー制御信号が付加されていない場合は、処理を終了する。コピー制御信号が付加されていた場合は、媒体特徴を判断する記録媒体判別部11で記録装置に装着されている記録媒体特徴の組み合わせを判断する(ステップ3)。装着された各記録媒体が前記記録媒体9と10の組みでないと判断された場合、処理を終了する。装着された各記録媒体が記録媒体9と10の組みと判断された場合はファイル管理情報生成部12で各記録媒体を識別するための識別子3を生成する（ステップ4）。つぎに、入力端子7から入力されたデータストリームを記録媒体9に記録する際に必要となるファイル管理情報をファイル管理情報生成部12で生成する（ステップ5）。
【００１８】
記録部13において記録媒体9にファイル管理情報生成部12で作成されたファイル管理情報に基づいて配置されるデータストリーム4と記録媒体自身を示す識別子3、及びデータストリームのファイル管理情報を記録している記録媒体の識別子5を記録する（ステップ6）。
【００１９】
また記録媒体10には、記録部13は記録媒体9に記録したデータストリームのファイル管理情報を含むファイル管理情報群6と記録媒体自身を示す識別子3を記録(ステップ6)し、処理を終了する。
【００２０】
以上の様に、これらの動作を行う記録装置により、複数媒体を管理するファイル管理方式を実現する。
【００２１】
（再生装置）
次に複数媒体を管理するファイル管理方式を用いて別々の記録媒体にデータ実体と管理情報が記録されたデータの読み込みを行う再生装置について説明する。図４は、本発明の複数媒体を管理するファイル管理方式をもつ装置の再生部のブロック図である。
【００２２】
14は再生装置に装着されている記録媒体が記録媒体9，10の特徴を有するかを判別する記録媒体判断部であり、15は再生装置に装着されている記録媒体9，10からデータを読み込むデータ読み込み部であり、16は記録媒体9に記録されたデータストリームのファイル管理情報が記録媒体10に記録されているかを判断する管理情報判断部である。17は記録媒体9に記録されているファイル管理情報に基づいてデータストリームの位置を取得するファイル管理情報読み込み部であり、18はデータストリームを再生するための再生部であり、19は再生部18より出力されたデータを外部に出力するための外部出力端子である。また、20は管理情報判断部16で判断された情報に基づいて情報を出力するOSD生成部であり、21はOSD生成部20で生成された情報を出力するためのOSD出力端子である。
【００２３】
次にこの複数媒体を管理するファイル管理方式を持つ再生装置の動作概要を説明する。
【００２４】
図５は別々の記録媒体にデータストリームとファイル管理情報が記録されている場合において、データストリームを再生する際の動作フローを示したものである。
【００２５】
まずデータストリームとファイル管理情報が別々の記録媒体に記録されているデータストリームを再生する処理を開始する。再生装置に装着されている記録媒体が著作権保護機能を有する記録媒体9とそれを有さない記録媒体10の組み合わせであるかを記録媒体判別部14で判断する（ステップ11）。記録媒体9と10の組み合わせでなかった場合、処理を終了する。記録媒体9と10の組み合わせであった場合、記録媒体1に記録されているデータストリームのファイル管理情報が記録媒体10に存在するかを管理情報判断部16で判断する(ステップ12)。
【００２６】
ファイル管理情報が存在しない場合、その旨を伝えるOSDを表示し(ステップ15)、処理を終了する。ファイル管理情報が存在したならば、ファイル管理情報読み込み部17はその管理情報に基づきデータストリームの位置を取得する。媒体データ読み込み部15は所得したデータストリームの位置を用いて記録媒体9のデータストリームを読み込み(ステップ13)、再生部18がデータストリームを再生(ステップ14)後、処理を終了する。
【００２７】
以上のように、これらの動作を行う再生装置により、ファイル管理情報とデータストリームが別々に記録された媒体のデータストリームの再生を実現する。
【００２８】
本発明において、著作権保護を有する記録媒体10の代わりに記録・再生機器から脱却不可な記録媒体を用いた場合はその記録媒体に著作権保護機能が存在しなくても、脱却ができないことから不正なコピーが行えないため、著作権保護を有する記録媒体と同等の扱いとする。
【産業上の利用可能性】
【００２９】
本発明の複数媒体を管理するファイル管理方式をもつ装置は、複数の著作権保護機能を有さない記録媒体に記録されたコピー制御信号が付加されたデータストリームのファイル管理情報を著作権保護機能を有する記録媒体に記録し管理することで、不正なコピーによる著作権侵害を防ぐことが可能となる。また既存の著作権保護機能を有さない記録媒体にコピー制御信号が付加されたデータストリームを記録することが可能となるため、著作権保護分野と記録媒体分野において有能である。
【図面の簡単な説明】
【００３０】
【図１】複数媒体のファイル管理情報を単一媒体で管理する管理方法の概要図
【図２】複数媒体を管理するファイル管理方式を持つ記録装置のブロック図
【図３】データストリームとファイル管理情報を異なる媒体に記録する動作フロー図
【図４】複数媒体を管理するファイル管理方式を持つ再生装置のブロック図
【図５】異なる媒体にデータストリームとファイル管理情報が記録されているデータストリームの再生を行う動作フロー図
【符号の説明】
【００３１】
１    データが記録されている記録媒体
２    ファイル管理情報が記録されている記録媒体
３    記録媒体識別子
４    データストリーム
５    管理媒体識別子  
６    ファイル管理情報群
７    ストリーム入力部
８    ストリーム判別部
９    著作権保護を有さない記録媒体
１０    著作権保護を有する記録媒体
１１    記録媒体判断部
１２    ファイル管理情報生成部
１３    記録部
１４    記録媒体判別部
１５    媒体データ読み込み部
１６    管理情報判別部
１７    ファイル管理情報読み込み部
１８    再生部
１９    ストリーム出力
２０    ＯＳＤ生成部
２１    ＯＳＤ出力部
６１    ファイル管理情報
【図１】
2006344253.tif 000003
【図２】
2006344253.tif 000004
【図３】
2006344253.tif 000005
【図４】
2006344253.tif 000006
【図５】
2006344253.tif 000007